(57)【要約】【課題】蓋をロック状態から開放するまでを１つの部材に対する１回の簡単な動作で行うことができる飲料容器を提供する。【解決手段】容器本体２の開口部３に栓体１０を装着し、栓体１０を閉鎖又は開放する蓋体２０を設けた飲料容器において、栓体１０の外面部に軸支されて一方端に設けた係合爪３３が閉状態の蓋体２０の係合受け部２２と係合状態及び係合解除状態とに回動する係合部材３１の外面側に上下摺動可能なスライドボタン４０を設け、スライドボタン４０が上動位置の時は、スライドボタン４０に一体に設けられた突出片４２が、栓体１０側のストッパ１８に当接して、係合爪３３と係合受け部２２とが完全に係合され閉蓋状態となり、スライドボタン４０が下動位置の時は、突出片４２がストッパ１８に当接せず、前記スライドボタン４０を係合解除方向へ操作することにより、係合爪３３と係合受け部２２との係合が解除され開蓋状態となる構成とした。【選択図】図１
0003142053.tif 000002
【実用新案登録請求の範囲】
【請求項１】
上部に開口部３を有する容器本体２と、容器本体２の開口部３に装着され天板１２に飲み口１３を有する栓体１０と、栓体１０に対してヒンジ１６を介して回動可能に装着され前記飲み口１３を水密状に閉鎖又は開放する蓋体２０とからなり、前記蓋体２０を開方向に付勢させる開放機構１７と、前記蓋体２０の閉状態を保持するロック機構３０とを有する飲料容器において、
前記ロック機構３０は、前記蓋体２０に設けられた係合受け部２２と、前記栓体１０の外面部に軸支されて一方端に設けた係合爪３３が閉状態の蓋体２０の係合受け部２２と係合状態及び係合解除状態とに回動する係合部材３１と、前記係合部材３１の外面側に対して上下方向に摺動可能に取り付けられたスライドボタン４０とからなり、
前記スライドボタン４０が上動位置の時は、スライドボタン４０に一体に設けられた突出片４２が、栓体１０に設けたストッパ１８に当接することにより、係合部材３１の係合爪３３と蓋体２０の係合受け部２２とが完全に係合され閉蓋状態となる一方、スライドボタン４０が下動位置の時は、突出片４２がストッパ１８に当接せず、前記スライドボタン４０を係合解除方向へ操作することにより、係合部材３１の係合爪３３と蓋体２０の係合受け部２２との係合が解除され開蓋状態となるようにしたことを特徴とする飲料容器。
【考案の詳細な説明】
【技術分野】
【０００１】
本考案は、水筒などの携帯用の飲料容器に係り、特に、使用時に蓋体を１つの動作で開くことのできる飲料容器に関する。
【背景技術】
【０００２】
従来、容器本体の上部開口に装着される口栓部材と、該口栓部材にヒンジにて回動可能に連結され、口栓部材の天板に重なった際は開口する注出口を液密に閉蓋状態とすると共に口栓部材から離れた際は注出口を開蓋状態とする蓋部材とを備えた飲料用容器の栓体では、ヒンジと反対側に蓋部材の閉蓋状態の保持を行うロック機構を設けたものがある。
【０００３】
このロック機構は、例えば、口栓部材に設けられるシーソー式のロックボタンを操作し、一方に回動させると蓋部材に係合するロックボタンに設けた係合片が係合を解除する方向に移動し、蓋部材が開蓋状態となるようにしてあるのが一般的である。
【０００４】
ところで、ロック機構には、飲料容器を鞄等に収納している場合等において、不用意に蓋部材が開いてしまい、内容物が漏れてしまうことがないように、閉蓋状態を保持するのみならず、簡単に開蓋状態へ移行しないようにロックボタンが動かないよう固定させる別途機構が設けてある。
【０００５】
このロック機構について、蓋部材の回動端に設けられた係合片と、口栓部材の外面部に設けた軸部材により軸支されて口栓部材の内外方向に回動可能に取り付けられ、上部に前記係合片が係脱可能な係合部を有するとともに、該係合部を前記係止片との係合方向に付勢する付勢手段を有するロックボタンと、口栓部材の外周壁にスライド可能に設けられ、前記ロックボタンの下部と口栓部材の外周壁との間に挿入されたときに前記ロックボタンのロック解除方向への動きを規制するストッパ片と、該ストッパ片の挿入位置と非挿入位置とに保持される係止部とからなるスライド式ストッパとからなる構成を採用したものがある（例えば、特許文献１参照）。
【特許文献１】特開２００５−１９３９４４号公報
【考案の開示】
【考案が解決しようとする課題】
【０００６】
しかし、特許文献１の構造のものは、開蓋状態とさせる際には、スライド式ストッパを下方にスライドさせてから、ロックボタンを内側に押すという２つの異なる部材へそれぞれ異なる操作を行う必要があるため、スライド式ストッパーやロックボタンを目視するか指の感触によってそれぞれの操作部位を探り当ててから、異なる操作をしなければならず、片手の指１本でこれらの操作を行うのは容易ではなかった。
【０００７】
また、ジョギング、ウォーキング、サイクリング等の運動途中で飲料容器を使用する際は、蓋部材の複雑な開放操作に気を取られてしまい、操作途中で道路上の障害物や路面の変化に気がつくのが遅れて衝突や転倒してしまうなどの危険を生じることもあった。
【０００８】
そこで、本考案は、蓋をロック状態から開放するまでを１つの部材に対する１回の簡単な動作で行うことができ、操作性に優れた飲料容器を提供することを目的としている。
【課題を解決するための手段】
【０００９】
上記の目的を達成するため、この考案は、上部に開口部を有する容器本体と、容器本体の開口部に装着され天板に飲み口を有する栓体と、栓体に対してヒンジを介して回動可能に装着され前記飲み口を水密状に閉鎖又は開放する蓋体とからなり、前記蓋体を開方向に付勢させる開放機構と、前記蓋体の閉状態を保持するロック機とを有する飲料容器において、
前記ロック機構は、前記蓋体に設けられた係合受け部と、前記栓体の外面部に軸支されて一方端に設けた係合爪が閉状態の蓋体の係合受け部と係合状態及び係合解除状態とに回動する係合部材と、前記係合部材の外面側に対して上下方向に摺動可能に取り付けられたスライドボタンとからなり、
前記スライドボタンが上動位置の時は、スライドボタンと一体に設けられた突出片が、栓体に設けたストッパに当接することにより、係合部材の係合爪と蓋体の係合受け部とが完全に係合され閉蓋状態となる一方、スライドボタンが下動位置の時は、突出片がストッパに当接せず、前記スライドボタンを係合解除方向へ操作することにより、係合部材の係合爪と蓋体の係合受け部との係合が解除され開蓋状態となるようにした構成を採用したものである。
【００１０】
本考案により、スライドボタンを指でスライドさせるというワンタッチアクションで、スライドボタンの突出片とストッパとの当接によりロックされている係合部材の固定を解除すると共に、そのままスライドボタンにかかった指が自然と係合部材を係合解除方向に押すことになり、蓋体の係合が解除されて開蓋状態とすることができる。
【考案の効果】
【００１１】
以上の構成による本考案によれば、飲料容器を手に持ちながら親指をスライドボタンに当てて引き下げるという自然な動作を行うだけで、係合部材の固定解除と係合部材の蓋体への係合解除とを行えるので、片手の指１本でスライドボタンをスライドさせるという簡単な操作で飲料容器の蓋を開けることができる。
【００１２】
また、指の感触等でスライドボタンを探り当てるだけでよく、操作時に飲料容器の２つの操作部位を注視したり指で探り当てたりする必要が無く、更に、スライドボタンをスライドさせるというワンタッチアクションのみでよく、異なる２つの動作のために注意を払う必要がないので、ジョギング、ウォーキング、サイクリング等の運動途中で飲料容器を使用する際にも危険が生じることがない。
【考案を実施するための最良の形態】
【００１３】
以下、本考案を飲料容器に適用した各形態例を、図面に基づいて説明する。図１乃至図３は、本考案の飲料容器の一例を示すもので、飲料容器１は、合成樹脂製又は金属製の容器本体２と、該容器本体２の上部に装着される合成樹脂製の栓体１０と、該栓体１０の上部を覆う蓋体２０からなる。
【００１４】
容器本体２は、有底で上部に開口部３を有する筒状体であって、該筒状体の内部に飲料液体を収納するものであり、開口部３付近は円筒状の上部筒状体４となっている。栓体１０は、容器本体２の上部筒状体４に外嵌装する程度の大きさで下部開放の筒状体１１と、この筒状体１１の上部を覆う天板１２と、天板１２上面に筒状体１１より小径の筒状で筒状体１１と導通する飲み口１３が設けられている。
【００１５】
容器本体２に対する栓体１０の取り付けは、上部筒状体４の外面に設けられたねじ部５に、栓体１０の筒状体１１の内側に設けられたねじ部１４を螺合することで行われ、筒状体１１の下端が容器本体２の鍔部６に当接する付近まで締め付けて固定され、栓体１０における天板１２下面の周辺部に設けられたリング状のボトルパッキン１５が容器本体２の上部筒状体４の上端部に当接することで容器本体２と栓体１０は水密状に接続される。
【００１６】
栓体１０に対する蓋体２０の取り付けは、天板１２の上面端部に設けられたヒンジ１６を中心に蓋体２０が回動自在に取り付けられており、蓋体２０が栓体１０の上側に重なったとき、蓋体２０に設けられたパッキン２１が栓体１０の飲み口１３を水密状に閉鎖する閉蓋状態となるが、ヒンジ１６には開放機構１７としてバネ１７ａが設けられ、蓋体２０を栓体１０から引き離して飲み口１３の閉鎖を解除する開蓋状態となる力が付勢されている。
【００１７】
また、蓋体２０と栓体１０には、パッキン２１が飲み口１３を閉鎖する状態を維持するためのロック機構３０が設けられており、このロック機構３０は、前記蓋体２０のヒンジ１６の反対側に設けられた係合受け部２２と、前記栓体１０の外面部にピン３２により軸支され、一方端に設けた係合爪３３が閉状態の蓋体２０の係合受け部２２と係合状態及び係合解除状態とにシーソー状に回動する係合部材３１と、この係合部材３１の外面側に対して上下方向に摺動可能に取り付けられたスライドボタン４０とからなる。
【００１８】
図４は係合部材３１を示すもので、栓体１０へ軸支されるピン３２より下側で栓体１０との間に圧縮したコイルバネ３４を挟んで取り付けられることで、コイルバネ３４の伸び力によりピン３２の上側では係合爪３３が蓋体２０側に付勢されており、係合爪３３が閉蓋状態にある蓋体２０の係合受け部２２への係合が保持される。
【００１９】
図５はスライドボタン４０を示すもので、前記係合部材３１を完全に覆う程度の大きさで係合部材３１の外側に摺動自在に取り付けられ、係合部材３１に対する摺動機構は、係合部材３１の長さ方向に沿って設けられた２つのスライド溝３５に、スライドボタン４０のスライドガイド４１が嵌合することで、係合部材３１に対してスライド溝３５に沿って上動位置から下動位置までの摺動が自在となっている。
【００２０】
また、係合部材３１のピン３２より下の位置には貫通穴３６が開けられ、この貫通穴３６にスライドボタン４０に設けられた突出片４２がスライドボタン４０の係合部材３１に対するスライドを許容しつつ通っており、スライドボタン４０の上動位置ではこの突出片４２の先端部が栓体１０の表面側に突出したストッパ１８に当接することで、スライドボタン４０の栓体１０側への押し込みを止めており、スライドボタン４０及び係合部材３１が係合爪３３が蓋体２０の係合受け部２２への係合が解除される方向へのピン３２を中心とした回動を阻止している。
【００２１】
また、係合部材３１の表面側に水平方向に設けた凸条３７にスライドボタン４０の裏面側に水平方向に設けた凸条４３が乗り越えたところでスライドの最上端の上動位置となり、凸条３７と凸条４３との干渉によりスライドボタン４０の上動位置を保持している。
【００２２】
指をスライドボタン４０に押し当てて係合部材３１の凸条３７とスライドボタン４０の凸条４３の嵌合に抗してスライドボタン４０を上動位置から下動位置までスライドさせると、スライドボタン４０の突出片４２も下方向にスライドし、上動位置から下動位置の途中で突出片４２の先端部が栓体１０のストッパ１８から外れて突出片４２の栓体１０側への移動は自由になり、スライドボタン４０と共にピン３２を中心とした係合部材３１下側の栓体１０側への回動が許容され、この回動により係合部材３１のピン３２より上側にある係合爪３３が蓋体２０の係合受け部２２との係合を解除する方向に移動可能となる。
【００２３】
この場合は、指に入れた力により自然とスライドボタン４０と共に係合部材３１のピン３２より下側を押すことになり、そのままスライドボタン４０と係合部材３１を回動させることとなるので、蓋体２０を開けるための係合部材３１の固定機構の解除と係合解除方向への移動が指の１つの動作で可能となる。
【００２４】
この考案の飲料容器１は上記のような構成であり、この飲料容器１のロックを解除し開放する動作を説明する。
【００２５】
まず、図６は蓋体２０が栓体１０に対して閉じてロックされた状態を示しており、蓋体２０は、ヒンジ１６におけるバネ１７ａの力に抗して閉じられて、ヒンジ１６の反対側にあるスライドボタン４０は上動位置にスライドしており、蓋体２０の係合受け部２２が係合部材３１の上端の係合爪３３に係合して閉蓋状態を保持しており、スライドボタン４０の突出片４２が栓体１０のストッパ１８に当接することで、係合部材３１の係合爪３３は蓋体２０側の係合受け部２２への係合を解く方向への回動が阻止されている。
【００２６】
また、スライドボタン４０の凸条４３が係合部材３１の凸条３７の上側に嵌り込んでスライドボタン４０が下がらないようにこの位置を保持しているため、係合爪３３と係合受け部２２の係合が確実に保持され、不用意にスライドボタン４０がスライドして蓋体２０が意図しない状態で開くといったことがない。
【００２７】
次に、飲料を飲むために蓋体２０を開ける際は、飲料容器１を持ちながら、例えば親指の腹をスライドボタン４０に当て、指に下向きの力を加えてスライドボタン４０を下に引き下げようと力を加え、スライドボタン４０の凸条４３が係合部材３１の凸条３７を乗り越えて係合部材３１に対して下側にスライドし、図７の状態となる。
【００２８】
上記図７の状態となると、スライドボタン４０と一体の突出片４２も下方にスライドし、その先端部が栓体１０のストッパ１８に当接しない位置となる。すると、スライドボタン４０を下に引き下げるためにスライドボタン４０を押し付けていた指の力で、図８に示すように、コイルバネ３４に力に抗してピン３２より下側で自然とスライドボタン４０と係合部材３１とが栓体１０側に押し付けられて回動することになり、その結果、係合爪３３の係合受け部２２への係合が解除されることになる。
【００２９】
係合受け部２２への係合爪３３の係合が解除された蓋体２０は、ヒンジ１６のバネ１７ａの力により自動的に栓体１０から離れる方向への力が付勢いされているので、図９に示すように栓体１０の飲み口１３から離れてゆく。
【００３０】
その後、スライドボタン４０に添えた指を離すと、図１０のように、スライドボタン４０と係合部材３１はコイルバネ３４の力により指で押される前の元の位置に戻り、この状態で、飲料容器１を手に持ちながら飲み口１３を下向きにして飲料容器１内の飲料を飲むことができる。
【００３１】
使用後は、手で蓋体２０を栓体１０に被せるようにヒンジ１６を中心に回動させて閉じ、蓋体２０の係合受け部２２をロック機構３０の係合爪３３に当接させてそのまま上から押し込むと、係合受け部２２と係合爪３３との当接面の傾斜により、係合受け部２２が外側に押されてコイルバネ３４を圧縮しながら係合部材３１が回動し、係合受け部２２が係合爪３３の下側に潜り込むと、コイルバネ３４の力により係合部材３１は元に戻り、係合受け部２２と係合爪３３の係合が行われ、蓋体２０は栓体１０に対して閉蓋状態を維持できるようになる。なお、この状態は図７と同じ状態である。
【００３２】
更に、指をスライドボタン４０にかけて、スライドボタン４０を栓体１０側に押し込まないように注意しながら、例えば、スライドボタン４０の上側を押さえながら、上方向にスライドさせ、スライドボタン４０側の凸条４３を係合部材３１の凸条３７を乗り越えさせれば、スライドボタン４０は上動位置で固定され、スライドボタン４０の突出片４２が栓体１０のストッパ１８に当接し、スライドボタン４０及び係合部材３１の回動による係合爪３３の係合受け部２２からの係合解除を阻止し、不用意に蓋体２０が開くのを防止できる。なお、この状態は図６と同じ状態である。
【００３３】
なお、係合部材３１の係合爪３３と蓋体２０の係合受け部２２の材質を、復元性、弾力性のある材質としておけば、図１０の状態から蓋体２０を閉める際、前もってスライドボタン４０を上端部までにスライドさせて係合部材３１の回動を防止させてから、蓋体２０を閉めても、係合爪３３や係合受け部２２の弾性変形により係合部材３１の回動なしに係合受け部２２が係合爪３３の下側に潜り込み、そのまま係合が保持されるようになる。
【００３４】
なお、本考案の実施形態の飲料容器において、図２に仮想線で示すように、冷蔵庫等で冷却した保冷材６０を容器本体２内に吊持するようにすることもできる。
【図面の簡単な説明】
【００３５】
【図１】この考案の飲料容器の一部切欠右側面図である。
【図２】この考案の飲料容器の斜視図である。
【図３】この考案の飲料容器の正面図である。
【図４】係合部材を示すもので（Ａ）は正面図、（Ｂ）は中央縦断面図、（Ｃ）は背面図である。
【図５】スライドボタンを示すもので（Ａ）は正面図、（Ｂ）は中央縦断面図、（Ｃ）は背面図である。
【図６】この考案の飲料容器の開放操作を示す一部切欠要部側面図である。
【図７】この考案の飲料容器の開放操作を示す一部切欠要部側面図である。
【図８】この考案の飲料容器の開放操作を示す一部切欠要部側面図である。
【図９】この考案の飲料容器の開放操作を示す一部切欠要部側面図である。
【図１０】この考案の飲料容器の開放操作を示す一部切欠要部側面図である。
【符号の説明】
【００３６】
１    飲料容器
２    容器本体
３    開口部
４    上部筒状体
５    ねじ部
６    鍔部
１０    栓体
１１    筒状体
１２    天板
１３    飲み口
１４    ねじ部
１５    ボトルパッキン
１６    ヒンジ
１７    開放機構
１７ａ  バネ
１８    ストッパ
２０    蓋体
２１    パッキン
２２    係合受け部
３０    ロック機構
３１    係合部材
３２    ピン
３３    係合爪
３４    コイルバネ
３５    スライド溝
３６    貫通穴
３７    凸条
４０    スライドボタン
４１    スライドガイド
４２    突出片
４３    凸条
【図１】
0003142053.tif 000003
【図２】
0003142053.tif 000004
【図３】
0003142053.tif 000005
【図４】
0003142053.tif 000006
【図５】
0003142053.tif 000007
【図６】
0003142053.tif 000008
【図７】
0003142053.tif 000009
【図８】
0003142053.tif 000010
【図９】
0003142053.tif 000011
【図１０】
0003142053.tif 000012